(57)【要約】１つまたは複数の移行画像が、プレゼンテーション内のスライド表示の間の移行期間中に表示される。表示される移行画像は、プレゼンテーション内に包含される様々なスライドの画像を含んでいる。移行画像は、視聴者にプレゼンテーション内で表示されるスライドを短い時間見せる。例えば、移行画像は、プレゼンテーション内に包含されているこれまでのスライドおよびこれからのスライドからの画像を含むことが可能である。移行画像は、また、移行期間中により効率よく移行画像を表示するためにキャッシュ可能である。
2012527016.tif 000002
【特許請求の範囲】
【請求項１】
スライド間を移行するためのコンピュータ実施方法であって、
プレゼンテーション内にあるスライドのプレゼンテーションを開始するステップ（４１０）と、
移行画像を取得するステップ（４２０）であって、前記移行画像は、前記プレゼンテーション内のスライドの画像を含む、ステップと、
前記プレゼンテーション中に現在のスライドと次のスライドとの表示の間の移行の移行指示を受信するステップ（４３０）と、
移行画像を選択して（４５０）、前記現在のスライドと前記次のスライドとの表示の間の移行期間中に表示するステップであって、前記移行画像は、前記プレゼンテーション内の少なくとも２つの前記スライドからの画像を含む、ステップと、
前記移行期間中に前記選択した移行画像を表示するステップ（４６０）と
を含むことを特徴とする方法。
【請求項２】
前記移行画像を取得するステップは、前記プレゼンテーション内の前記スライド毎に移行画像を作成するステップ（５３０）を含むことを特徴とする請求項１に記載の方法。
【請求項３】
前記移行画像の一部をキャッシュするステップ（５４０）をさらに含むことを特徴とする請求項１に記載の方法。
【請求項４】
前記移行画像の少なくとも幾らかのある部分を異なる解像度でキャッシュするステップ（５２０）をさらに含むことを特徴とする請求項３に記載の方法。
【請求項５】
解像度は、前記移行画像の各部分毎に前記現在のスライドからの表示距離に基づいて選択される（５２０）ことを特徴とする請求項４に記載の方法。
【請求項６】
前記移行画像を選択するステップは、前記現在のスライドの前のスライドの少なくとも１つの移行画像および前記現在のスライドの後のスライドの少なくとも別の移行画像を選択するステップ（４５０）を含むことを特徴とする請求項３に記載の方法。
【請求項７】
前記移行画像の部分をキャッシュするステップは、前記現在のスライドでキャッシュを開始し、次に前記現在のスライドからの前方表示方向および前記現在のスライドからの後方表示方向の両方でスライドをキャッシュするステップ（３０１〜３１２）を含むことを特徴とする請求項２に記載の方法。
【請求項８】
前記選択した移行画像を前記移行期間中表示するステップは、前記選択した移行画像を、前記選択した移行画像の動画を提供する移行概念に従い表示するステップ（６１０、６２０、６３０）を含むことを特徴とする請求項２に記載の方法。
【請求項９】
プレゼンテーション内でスライドの移行画像を現在のスライドと次のスライドとの表示の間の移行期間中に表示するためのコンピュータ実行可能命令を有するコンピュータ可読記録媒体であって、
前記プレゼンテーション中の前記現在のスライドと前記次のスライドとの表示の間の移行の移行指示を受信すること（４１０）と、
前記現在のスライドと前記次のスライドとの表示の間の前記移行期間中に表示する移行画像を選択すること（４５０）であって、前記選択した移行画像は、前記プレゼンテーション内の少なくとも２つの前記スライドから作成された画像を含んでおり、前記移行画像は、前記プレゼンテーション内の前記スライド毎に移行画像を含み、前記移行画像の一部はキャッシュされ、および前記移行画像の少なくとも幾らかの部分は異なる解像度であることと、
前記移行期間中に前記選択された移行画像を表示すること（４６０）と
を含むことを特徴とするコンピュータ可読記録媒体。
【請求項１０】
解像度は、前記移行画像の各部分毎に前記現在のスライドからの表示距離に基づいて選択される（５２０）ことを特徴とする請求項９に記載のコンピュータ可読記録媒体。
【請求項１１】
異なる解像度にキャッシュした１つまたは複数の移行画像を現在のスライドの変更に応答して、再サンプリングすること（５６０）をさらに含むことを特徴とする請求項１０に記載のコンピュータ可読記録媒体。
【請求項１２】
プレゼンテーション中に移行画像を表示するためのシステムであって、
プロセッサ（５）およびコンピュータ可読媒体（１４）と、
入力を受信するように構成された入力コンポーネント（２８）と、
プレゼンテーションに関する画像を表示するように構成されたディスプレイ（２８）と、
前記入力コンポーネントおよび前記プロセッサを用いてアクションを実行するように構成されたディスプレイと
に連結される移行マネージャ（２６）であって、
前記プレゼンテーション中に現在のスライドと次のスライドの表示の間の移行の移行指示を受信すること（４１０）と、
前記現在のスライドと前記次のスライドとの表示の間の前記移行期間中に表示する移行画像を選択すること（４５０）であって、前記移行画像は前記プレゼンテーション内の前記スライド毎に移行画像を含み、前記移行画像はキャッシュされ、前記移行画像の少なくとも幾らかは異なる解像度でキャッシュされることと、
前記移行期間中に前記選択した移行画像を表示すること（４６０）とを備える移行マネージャと
を備えることを特徴とするシステム。
【請求項１３】
前記移行画像を選択することは、前記現在のスライドの前にあるスライドの少なくとも１つの移行画像および前記次のスライドの後にあるスライドの少なくとも別の移行画像を選択すること（３０１〜３１２）であることを特徴とする請求項１２に記載のシステム。
【請求項１４】
現在のスライドの変更に応答して、前記キャッシュされた１つまたは複数の移行画像を異なる解像度に再サンプリングすること（５６０）をさらに備えることを特徴とする請求項１２に記載のシステム。
【請求項１５】
前記移行期間中に前記選択された移行画像を表示することは、前記選択された移行画像の動画を提供する移行概念に従う前記選択された移行画像を表示することを含む（６１０、６２０、６３０）ことを特徴とする請求項１２に記載のシステム。
【発明の詳細な説明】
【技術分野】
【０００１】
本発明は、スライド移行中の移行画像の表示に関する。
【背景技術】
【０００２】
個人および事業者の多くは、コンピュータのプレゼンテーションプログラムを用いて、プレゼンテーションを準備し、発表する。典型的には、プレゼンテーションプログラムは、ユーザにとってのスライドの編集、作成、提示が可能になるグラフィカルユーザインターフェースをユーザに提供する。スライドによるプレゼンテーションの間、プレゼンテーション内の各スライドは、典型的には、そのプレゼンテーションが作成されるときに指定した順序で示される。ユーザは、また、プレゼンテーション内の任意のスライド間の移動を直接操作できる。
【発明の概要】
【０００３】
本「発明の概要」は、以下の「発明を実施するための形態」において、さらに記述する簡略化した形の概念選定を紹介するために提供される。本「発明の概要」は、本特許請求の主題について主要な特徴または基本的な特徴を特定することを意図しておらず、また本特許請求の主題の範囲を決定する際の補助として用いることも意図していない。
【０００４】
移行（ｔｒａｎｓｉｔｉｏｎ）画像は、プレゼンテーション内でスライド表示の間の移行期間中に表示される。表示される移行画像は、プレゼンテーション内に包含される様々なスライドの画像を含む。移行画像は、視聴者にプレゼンテーション内で表示されるスライドを短い間見せることが可能である。例えば、移行期間中に表示した移行画像は、プレゼンテーション内で包含されるこれまでのスライドおよびこれからのスライドの画像を含むことが可能である。移行画像は、また移行期間中、移行画像をより効率よく表示するためにキャッシュすることができる。
【図面の簡単な説明】
【０００５】
【図１】コンピュータのコンピューティングアーキテクチャ例を説明する図である。
【図２】複数のスライド移行システムを示す図である。
【図３】移行画像をキャッシュするキャッシングスキーマを説明する図である。
【図４】スライドの移行期間中の移行画像を提示するプロセスを示す図である。
【図５】移行画像をキャッシュするプロセスを説明する図である。
【図６】本発明の態様に従う典型的な移行概念を示す図である。
【発明を実施するための形態】
【０００６】
次に、図を参照して（図中、類似番号は類似要素を表す）、本発明の多様な態様を記述する。特に、図１および対応する記載は、本発明の実施形態を実装可能な、適切なコンピューティング環境について、簡潔で概略的な記述の提供を意図している。
【０００７】
一般に、プログラムモジュールは、個々のタスクを実行、または特定の抽象データ型を実装するルーチン、プログラム、コンポーネント、データ構造、および他の構造型を含む。他のコンピュータシステム構成もまた用いることができ、ハンドヘルド装置、マルチプロセッサシステム、マイクロプロセッサをベースとした、またはプログラム可能家電機器、ミニコンピュータ、メインフレームコンピュータ、等を含むことができる。また、通信ネットワークを介してリンクしているリモート処理装置によりタスクが実行される、分散コンピューティング環境を用いてもよい。分散コンピューティング環境下において、プログラムモジュールをローカルおよびリモートメモリ記憶装置に置くことができる。
【０００８】
次に、図１を参照して、多様な実施形態で利用される例示のコンピュータ２について説明する。図１に示されるようにコンピュータアーキテクチャは、従来型のデスクトップまたはラップトップコンピュータを説明しており、中央演算処理装置５（「ＣＰＵ」）、システムメモリ７を含み、ランダムアクセスメモリ９（「ＲＡＭ」）およびリードオンリメモリ（「ＲＯＭ」）１１、ならびにＣＰＵ５にメモリを連結するシステムバス１２を含む。コンピュータ内の要素間で情報の転送を支援する基本ルーチンを包含する基本入出力システムは、例えば起動の最中に、ＲＯＭ１１に格納される。コンピュータ２は、オペレーティングシステム１６、アプリケーションプログラム、および他のプログラムモジュールを格納するための大容量記憶装置１４をさらに含んでいるが、それらは以下でより詳細に記述する。
【０００９】
大容量記憶装置１４は、バス１２に接続する大容量記憶制御装置（図示せず）を介してＣＰＵ５に接続される。大容量記憶装置１４およびその関連コンピュータ可読媒体は、コンピュータ２に不揮発性記憶装置を提供する。本明細書に包含されるコンピュータ可読媒体の記述は、ハードディスクまたはＣＤ−ＲＯＭドライブのような大容量記憶装置に言及しているが、コンピュータ可読媒体としてコンピュータ２によりアクセス可能な任意の利用可能な媒体が可能である。
【００１０】
限定ではなく例として、コンピュータ可読媒体は、コンピュータ記録媒体および通信媒体を具備することができる。コンピュータ記録媒体は、コンピュータ可読命令、データ構造、プログラムモジュール、または他のデータのような情報の記憶用に、任意の方法または技術で実装する揮発性および不揮発性、着脱可能および着脱不可能媒体を含む。限定ではないが、コンピュータ記録媒体は、ＲＡＭ、ＲＯＭ、ＥＰＲＯＭ、ＥＥＰＲＯＭ、フラッシュメモリ、もしくは他の半導体メモリ技術、ＣＤ-ＲＯＭ、デジタル多用途ディスク（ＤＶＤ）、もしくは他の光学式記憶装置、磁気カセット、磁気テープ、磁気ディスク記憶装置、もしくは他の磁気記憶装置、または所望の情報を格納するのに用いることができ、コンピュータ２によりアクセス可能な任意の他の媒体を含む。
【００１１】
多様な実施形態によると、コンピュータ２は、インターネット等のネットワーク１８を介してリモートコンピュータへの論理接続を用いて、ネットワーク化された環境で稼働可能である。コンピュータ２は、バス１２に接続するネットワークインターフェースユニット２０を介して、ネットワーク１８に接続可能である。ネットワークインターフェースユニット２０は、また、他のタイプのネットワークおよびリモートコンピュータシステムに接続するのに利用することもできる。コンピュータ２は、また、キーボード、マウス、音声認識装置、電子ペン等（２８）の幾つかの装置から入力を受信し、処理するための入出力制御装置２２も含む。同様に、入出力制御装置２２は、ディスプレイスクリーン、プリンタ、またはいくつかの他のタイプの装置（２８）等の装置に出力する。
【００１２】
上記に簡略に言及したように、幾つかのプログラムモジュールおよびデータファイルは、コンピュータ２の大容量記憶装置１４およびＲＡＭ９に格納でき、これはワシントン州レッドモンドのマイクロソフト社が提供するＶＩＳＴＡ（登録商標）オペレーティングシステム等のネットワークパーソナルコンピュータの動作を制御するのに適切なオペレーティングシステム１６を含む。大容量記憶装置１４およびＲＡＭ９は、また、１つまたは複数のプログラムモジュールを格納してもよい。特に、大容量記憶装置１４およびＲＡＭ９は、プレゼンテーションアプリケーション１０を格納できる。プレゼンテーションアプリケーション１０は、プレゼンテーションを行なうための機能を提供するよう稼働する。本発明の一実施形態によると、プレゼンテーションアプリケーション１０は、マイクロソフト社が提供するプレゼンテーションアプリケーションのＰＯＷＥＲＰＯＩＮＴ（登録商標）である。他のメーカーによる他のプレゼンテーションアプリケーションもまた利用可能である。
【００１３】
プレゼンテーションアプリケーション１０は、移行マネージャ２６を利用して、プレゼンテーション内でスライド間の移行画像を表示するのを助ける。より詳細に以下に記述するように、移行マネージャ２６は、プレゼンテーションアプリケーション１０に命令して、スライドの表示の間の移行期間中、プレゼンテーション内のスライドを短い間見せる移行画像を表示する。移行マネージャ２６の動作に関するさらなる詳細を下記に示す。
【００１４】
図２は、本発明の態様に従い、複数のスライド移行システム２００を説明している。図示のように、システム２００は、プレゼンテーションアプリケーション１０、コールバックコード２１０、スライド２１５、キャッシュ２２０、移行マネージャ２６、入力２０５、およびディスプレイ２８を含む。移行マネージャ２６は、図２に示すように、プレゼンテーションアプリケーション１０内に実装しても、または図１に示すようにアプリケーション１０の外部に実装してもよい。
【００１５】
上記に簡略に記述したように、移行マネージャ２６は、移行画像の表示を、プレゼンテーション内のスライド２１５の表示の間に生じる移行期間中に行なう。表示された移行画像は、プレゼンテーション内に包含されている様々なスライドの画像を含む。移行画像は、プレゼンテーション内で表示されるスライドを短い間視聴者に見せる。例えば、移行画像は、プレゼンテーション内に包含されているこれまでのスライドおよびこれからのスライドからの画像を含むことが可能である。移行画像は、また、移行画像を移行期間中により効率よく表示するため、キャッシュ２２０または何らかの他のメモリ内にキャッシュすることもある。一実施形態によると、キャッシュ２２０は、プレゼンテーション内のスライドに移行画像の一部を格納するように構成される。別の実施形態によると、キャッシュ２２０は、プレゼンテーション内の各スライド毎に移行画像を格納するように構成される。さらに、キャッシュ２２０は、様々に変わる解像度の移行画像を格納できる。例えば、表示順序で現在のスライドから離れたスライドに関する移行画像は、低解像度で格納可能である。
【００１６】
移行マネージャ２６との通信を容易にするため、１つまたは複数のコールバックルーチンが、コールバックコード２１０として図２に説明されるように実装されてもよい。コールバックコード２１０を用いて、移行マネージャ２６は、移行画像の表示をするのに用いる追加情報について問い合わせることができる。例えば、移行マネージャ２６は、プレゼンテーション内のスライドの間の移動が行われるよう移行指示がなされる場合に知らせるよう要求できる。また、他の情報が提供されてもよく、それには、プレゼンテーション内で表示されている現在のスライド、移行期間の時間、およびプレゼンテーション内のスライドの表示の間の移行期間中に移行画像を表示するのに用いることができる現在キャッシュされているスライドに関する情報が含まれるが、これらに限定されない。
【００１７】
移行指示の受信に応答して、移行マネージャ２６は、プレゼンテーションアプリケーション１０に命令して、移行期間中に選択された移行画像を表示する。この移行指示は、例えば、キーボード、マウス、音声認識装置のような多くの様々なソースから生じる入力２０５によってもたらすことができる。移行指示は、また、プレゼンテーションプログラムから直接もたらされてもよい。例えば、スライト移行は、自動的に所定の間隔で生じてよい。一般に、プレゼンテーション内の現在のスライドがプレゼンテーション内の別のスライドを表示するために変更される時はいつでも移行指示が移行マネージャ２６に与えられる。一実施形態によると、移行期間は設定可能である。例えば、移行期間は３秒間、５秒間、１０秒間等に設定することができる。移行期間は、また、選択した移行概念に基づいて設定してもよい。
【００１８】
一実施形態によると、選択した画像は、現在のスライドの直前および直後の所定数のスライドに関連する。選択した画像は、また、移行中に用いた移行概念にも関連する（図６および関連の記載を参照）。一般に、移行概念は、移行期間中の移行画像を表示する方法である。例えば、移行概念は、移行画像がユーザから離れて行くようにみえる画像の動画を表示することに関連することができる。
【００１９】
図３は、移行画像をキャッシュするためのキャッシュ方式を示す。図示のように、キャッシュ方式３００は、移行画像を包含するキャッシュに対して、様々な状態（３０１〜３１２）を示している。本発明の一実施形態によると、移行画像はプレゼンテーション内のスライド画像である。移行画像は他のコンテンツを含んでよい。例えば、移行画像は、単一の移行画像内の複数のスライドの画像を具備してよい。移行画像は、また、プレゼンテーション内のスライドの画像に加え、他の画像を包含してもよい。
【００２０】
最初に、キャッシュステップ３０１において、移行画像はキャッシュ内に全く格納されていない。一実施形態によると、プレゼンテーション内のスライドの移行画像は、プレゼンテーションが始まるまでキャッシュされない。あるいは、スライドの１つまたは複数の移行画像は、プレゼンテーションを開くのに合わせてキャッシュされてもよい。
【００２１】
キャッシュステップ３０２は、プレゼンテーションの開始と同時に現在のスライドの画像をキャッシュすることを説明している。キャッシュステップ３０３は、現在のスライドをキャッシュした後、次のスライドの画像をキャッシュすることを説明している。キャッシュプロセスは、スライドの所定数の移行画像がキャッシュされるまで、および／またはキャッシュが満杯になるまで継続する。キャッシュステップ３０４は、現在のスライドの２つ後のスライドのスライド画像をキャッシュすることを説明している。キャッシュステップ３０５は、現在のスライドの１つ前のスライドのスライド画像をキャッシュすることを説明している。キャッシュプロセスのこの時点で、４つの移行画像がキャッシュされる。キャッシュステップ３０６は、現在のスライドの３つ後のスライドのスライド画像をキャッシュすることを説明している。キャッシュステップ３０７は、現在のスライドの２つ前のスライドのスライド画像をキャッシュすることを説明している。キャッシュステップ３０８は、現在の４つの後のスライドのスライド画像をキャッシュすることを説明している。キャッシュステップ３０９は、現在のスライドの３つ前のスライドのスライド画像をキャッシュすることを説明している。キャッシュステップ３１０は、現在のスライドの５つの後のスライドのスライド画像をキャッシュすることを説明している。キャッシュステップ３１１は、現在のスライドの４つ前のスライドのスライド画像をキャッシュすることを説明している。キャッシュステップ ３１２は、キャッシュが満杯であることを説明している。特定の順序がキャッシュ方式で説明されているが、他の実施形態において他の順序付けが利用可能である。例えば、キャッシュ方式は、現在のスライド用の移行画像で開始し、全ての移行画像が作成されキャッシュされるまで、スライドを介して順次に進めてよい。さらに、僅か１０の移行画像がキャッシュされるように説明されているが、異なる数の移行画像がキャッシュされることができる。一般に、キャッシュされる移行画像の数は、応答メモリおよび計算リソースで決定される。キャッシュされるいくつかの移行画像を決定するのに用いる別のファクタは、選択された移行概念である。例えば、移行期間中、１２の移行画像を利用する移行概念は、移行画像を表示するために適用される可能性がある。この場合には、少なくとも１２のキャッシュサイズが望まれる場合がある。
【００２２】
図４および図５を参照して、スライド移行中の移行画像を表示するための例示のプロセスについて記述する。本明細書に記載される実施形態は、移行マネージャ２６およびプレゼンテーションアプリケーション１０のコンテキストで提示されるが、他のタイプのアプリケーションプログラムを利用してもよい。例として、本明細書に記載される実施形態は、写真のプレゼンテーションプログラム等で利用可能である。
【００２３】
本明細書で提示されるルーチンの記述を読む場合、多様な実施形態の論理演算が（１）コンピュータシステム上で動作する一連のコンピュータ実施動作もしくはプログラムモジュールとして、および／または（２）コンピュータシステム内の相互接続機械論理回路（ｉｎｔｅｒｃｏｎｎｅｃｔｅｄ  ｍａｃｈｉｎｅ  ｌｏｇｉｃ  ｃｉｒｃｕｉｔｓ）もしくは回路モジュールとして、実装されることは理解されたい。本実装は、本発明を実施するコンピュータシステムの性能条件に依存する選択の問題である。従って、本明細書に記載されている実施形態を説明し、および形成している論理演算は、動作、構造デバイス、アクト（ａｃｔ）またはモジュールと様々な呼ばれ方をしている。これら動作、構造デバイス、アクト、およびモジュールは、ソフトウェア、ファームウェア、特殊用途デジタル論理、およびそれらの任意の組合せで実装できる。
【００２４】
図４は、スライド移行期間中の移行画像を提示するプロセスを示す。動作開始後、プロセスはプレゼンテーションが開始される動作４１０に移動する。一実施形態によると、ユーザは、プレゼンテーションアプリケーション内でスライドのプレゼンテーションを開始するよう選択する。
【００２５】
動作４２０に移動し、移行画像が取得される。一実施形態によると、移行画像は、プレゼンテーション内でスライド毎に作成される。他の実施形態によると、移行画像は、スライドの画像より多いコンテンツを、スライドからの画像より少ないコンテンツを含むことができ、移行画像等内に他の情報等を含むことができる。一般に、移行画像は、ユーザに現在のスライド付近に提示されるスライドの概要を提供するために用いられる。
【００２６】
動作４３０のプロセスに移り、スライド移行を監視する。スライド移行は、プレゼンテーション内のあるスライドからプレゼンテーション内の別のスライドに移動するための指示が受信されるたびに生じる。例えば、このスライド移行は、プレゼンテーション内の現在のスライドから次のスライドに移動することを含むことができる。この移行は、またプレゼンテーション内で現在のスライドから他の任意のスライドへ移動する場合にも生じうる。
【００２７】
決定ブロック４４０へ移行し、移行が生じたかどうかについて決定する。移行が生じていない場合、プロセスは動作４３０での監視に戻る。移行が生じた場合、プロセスは動作４５０に移動する。
【００２８】
動作４５０において、１つまたは複数の移行画像が表示用に選択される。一実施形態によると、少なくとも２つの移行画像が表示用に選択される。例えば、現在のスライド直前のスライドの移行画像が、また次のスライドの直後のスライドの移行画像が選択できる。別の実施形態によると、選択される移行画像の数は、選択される移行概念に基づいている。
【００２９】
動作４６０に移り、選択した移行画像は、移行期間中表示される。
【００３０】
次に、プロセスは最終動作へ移動し、他のアクションの処理に戻る。
【００３１】
図５は、プレゼンテーション内の移行画像をキャッシュするためのプロセスを説明している。
【００３２】
動作開始後、プロセスは動作５１０に移り、そこでスライドがプレゼンテーション内でアクセスされる。一般に、キャッシュプロセスは、プレゼンテーションが開始され、最初のスライドにアクセスすると始まる。別の実施形態によると、キャッシュプロセスは、プレゼンテーションがプレゼンテーションアプリケーション内で最初にアクセスされるときのような、別の時に開始できる。
【００３３】
動作５２０に移動し、移行画像を作成するための解像度が決定される。一実施形態によると、移行画像はプレゼンテーションの表示の画面解像度に対応する。別の実施形態によると、解像度は、アクセスするスライドが表示されている現在のスライドからどの程度離れているかに基づいて変化する場合がある。例えば、アクセスするスライドが現在のスライドから表示順序で２つスライドが離れている場合、その解像度は１／２または何らかの他の解像度に設定することができる。
【００３４】
動作５３０に移り、スライドの移行画像が作成される。一実施形態によると、移行画像はアクセスするスライドの画像である。別の実施形態によると、移行画像はアクセスするスライドおよび他のスライドの編集物である。さらに他の実施形態によると、移行画像は、プレゼンテーションに関連する他の情報と同様に、アクセスするスライドの一部を具備する。
【００３５】
動作５４０に移動し、移行画像が、決定された解像度で、望ましいコンテンツを有して作成される。
【００３６】
動作５４０に移動し、移行画像がキャッシュされる。一実施形態によると、プレゼンテーション内のスライド用の移行画像の一部がキャッシュされる。別の実施形態によると、全ての移行画像がキャッシュされる。
【００３７】
決定動作５５０において、プレゼンテーション内にキャッシュした移行画像を有していないスライドがこれ以上ないかどうか決定される。さらにスライドがある場合、プロセスは動作５１０に戻る。キャッシュするスライドがもはや無い場合、プロセスは随意な動作５６０に移り、そこでキャッシュされた移行画像は、表示されている現在のスライドからのそれらの距離により、異なる解像度で再サンプリングされてよい。
【００３８】
次に、プロセスは終了動作に移動し、他のアクションの処理に戻る。
【００３９】
図６は例示的移行概念を示す。図示のように、３つの異なる移行概念が簡略して示されているが、これらはホイール（ｗｈｅｅｌ）移行概念（６１０）、スタッキング（ｓｔａｃｋｉｎｇ）移行概念６２０、およびフェーディング（ｆａｄｉｎｇ）移行概念６３０を含む。移行概念は、スライド表示の間の移行期間に、複数の移行画像を表示する方法である。例えば、移行画像は動画で表示するか、および／または移行画像はディスプレイ上に固定した位置で表示してもよい。一実施形態によると、選択される移行概念は移行画像の解像度を決定するのに用いられる。例えば、概念６１０における移行画像の解像度は、各画像に対して同じでよいが、その一方で概念６３０における移行画像の解像度は、移行画像５に対する最大解像度から移行画像５の背面の移行画像に連続的に低解像度に変化させてよい。他の多くの概念を利用することも可能である。
【００４０】
上記明細書、例、およびデータは、本発明の製作および構成物の使用についての完全な記述を提供している。本発明の多くの実施形態は、本発明の精神および範囲から逸脱することなくなされているため、本発明は本明細書に添付される特許請求に属するものである。
【図１】
2012527016.tif 000003
【図２】
2012527016.tif 000004
【図３】
2012527016.tif 000005
【図４】
2012527016.tif 000006
【図５】
2012527016.tif 000007
【図６】
2012527016.tif 000008
【国際調査報告】
2012527016.tif 000009
2012527016.tif 000010